(57)【要約】【課題】  セルフアドヒーシブ包装袋の完全密閉の構造と方法の提供【解決手段】  包装袋は四角形袋状構造とされ、その三辺は閉口側とされ一辺は開口側とされ、開口側の内側壁に１本の可離型のセルフアドヒーシブストリップが設けられ、このセルフアドヒーシブストリップと隣接する二つの閉口側が一体に接続され、セルフアドヒーシブストリップと隣接する閉口側の接続の特性を利用し、分段式剥離と分段式排気の方法が組み合わされ、包装袋の唯一の開口側が内側壁上のセルフアドヒーシブストリップの作用により閉じ、並びに包装袋内の空気が袋外に順調に排出され、これにより包装袋が平坦で膨張せず、且つ四側辺が完全に密閉の状態とされ、その内部の文献を完全に保護し、事故或いは使用者の不注意による文献の損傷を防止する。【選択図】  図１１
2006036364.tif 000002
【特許請求の範囲】
【請求項１】
セルフアドヒーシブ包装袋の完全密閉の構造であって、該包装袋は下樹脂片、上樹脂片で構成された四角形袋体とされ、そのうち三辺が閉口側とされ一辺が開口側とされた上記セルフアドヒーシブ包装袋の完全密閉の構造において、開口側の内側壁に可離型のセルフアドヒーシブストリップが設けられ、且つこのセルフアドヒーシブストリップが隣接する二つの閉口側と一体に接合され、セルフアドヒーシブストリップが離型片と両面テープで構成されたことを特徴とする、セルフアドヒーシブ包装袋の完全密閉の構造。
【請求項２】
請求項１記載のセルフアドヒーシブ包装袋の完全密閉の構造において、開口側の外端に複数の穿孔が設けられたことを特徴とする、セルフアドヒーシブ包装袋の完全密閉の構造。
【請求項３】
請求項１記載のセルフアドヒーシブ包装袋の完全密閉の構造において、開口側の外端に複数の開放性穿孔が設けられたことを特徴とする、セルフアドヒーシブ包装袋の完全密閉の構造。
【請求項４】
請求項１記載のセルフアドヒーシブ包装袋の完全密閉の構造において、セルフアドヒーシブストリップの外側部分に切り取り可能な切り取り線が設けられて切り取り線の外側に切り取り可能部が設けられたことを特徴とする、セルフアドヒーシブ包装袋の完全密閉の構造。
【請求項５】
請求項１記載のセルフアドヒーシブ包装袋の完全密閉の構造に実施されるセルフアドヒーシブ包装袋の完全密閉の方法において、セルフアドヒーシブストリップと一つの閉口側が接続する一端より、セルフアドヒーシブストリップの離型片を両面テープより剥離し、且つ離型片剥離時に手で包装袋表面を押圧し、包装袋の開口側と反対の一側より開口側に向けて平らに圧して包装袋内の空気を排出し、同時に離型片が剥離された両面テープを圧迫して開口側を接合し、以上の動作を重複して分段式に逐次離型片を剥離し分段式に逐次排気し、離型片を全て剥離して包装袋内の空気もまた排出完了し、且つ開口側も全て密封することを特徴とする、セルフアドヒーシブ包装袋の完全密閉の方法。
【発明の詳細な説明】
【技術分野】
【０００１】
本発明はセルフアドヒーシブ包装袋の完全密閉の構造と方法に関する。
【背景技術】
【０００２】
文具用品中、セルフアドヒーシブストリップ１３は両面テープ１３１と離型片１３２で共同構成され（図３）、広く包装袋の設計に応用され、図１、２は常用されている包装袋１を示し、その外観は四角形を呈し、三辺は閉口側とされ、一辺のみが開口側１２とされ、包装袋１の開口側１２の一辺が外向きに延伸されてカバー片１２１が形成され、セルフアドヒーシブストリップ１３はカバー片１２１の袋口１２から離れた外端部分に設置され、こうして一般に見られるセルフアドヒーシブ包装袋が形成されている。使用時には、まず包装物２０を開口側１２より包装袋１の袋体内に入れ（図４、５）、その後、カバー片１２１を内向きに折り合わせて袋体上を被覆させる。このとき、カバー片１２１上のセルフアドヒーシブストリップ１３の離型片１３２は剥がされ、カバー片１２１が包装袋１の袋体に粘着し、包装物２０の包装と保護の目的が達成される（図６、７）。
【０００３】
上述したように、セルフアドヒーシブストリップ１３により包装袋１を補助し、包装袋１の袋口をカバー片１２１で閉合するのが、周知の包装技術となっている。このような包装方法の構造は簡単で、使用に便利であり、ゆえに各業種の包装袋に広く使用されている。しかしこのような袋体構造には致命的な欠点がある。即ち、実際の使用時に、開口側１２は僅かにカバー片１２１で被覆されているだけで非密閉式閉合であり、このためカバー片１２１閉合後の包装袋１には州の二つの切欠き１２２が保留され（図６、７）、水が容易に切欠き１２２より包装袋１内に進入して包装物２０に損害を与えることである。このような伝統的なセルフアドヒーシブ包装袋の構造に存在する欠点は、正常な情況では包装物２０を保護して灰塵による汚染を防止できるものの、特殊な情況、例えば火災時、或いは火災時の放水情況においては、包装物２０を保護できず、包装物２０の水による損害を免れない。
【０００４】
セルフアドヒーシブストリップの包装袋にあっての応用には上述の致命的な欠点があり、このため会社或いはプライベートな重要文献の保護には応用できず、ゆえにラミネートフィルムのような製品が出現している。図８は伝統的なラミネートフィルム３による文献２の保護の分解図である。ラミネートフィルム３は四角形のプラスチック膜とされ、二つ折りされて上プラスチック膜３ａと下プラスチック膜３ｂで構成され、使用時には文献２を上プラスチック膜３ａと下プラスチック膜３ｂの間に置き、その後、ラミネートフィルム３をその中間の文献２と共にラミネータに進入させ、上プラスチック膜３ａ、文献２、下プラスチック膜３ｂを一体に接合する（図９、１０）。図９、１０より分かるように、ラミネート完成した文献２は完全にラミネートフィルム３で保護され、ゆえに文献２が液体や灰塵により汚染される必要がなくなり、重要文献に対しては悪くない選択である。このためラミネートフィルム３の使用は既に重要文献を保護する重要な技術となっており、世界的に通用している。しかしラミネートフィルムと文献の間に接合の方式が採用されているため使用者にとって非常に大きな問題を形成する。即ち、多くの重要な文献は外観の完全性を保持することが必要であるが、ラミネートフィルムは文献に接合されて除去できず、このため多くの文献はラミネート方式で保存できない。次に、ラミネート完成後の文献保存は容易でなく、書類挟み内に保存しようとすれば、別にパンチ孔を設けなければならず、大幅に使用の困難度が増す。最後にラミネートフィルムの使用は機器と共に使用しなければならず、使用者は別に金銭を費やしてラミネータを購入しなければならず、このためラミネート方法の実施は場所の制限を受ける。
【０００５】
ラミネートフィルムの出現は、セルフアドヒーシブ包装袋の完全密閉不能であることから引き起こされ、即ち全世界の全てのセルフアドヒーシブストリップ設計を採用したプラスチックバッグ或いは包装袋が共同で遭遇する難題であり、この難題を解決できれば、重要文献の収納への応用上、ラミネートフィルムを使用不要となり、文献のラミネートフィルムによる破壊の問題も解決される。
【発明の開示】
【発明が解決しようとする課題】
【０００６】
本発明はセルフアドヒーシブストリップの設計を採用し、但し包装袋を完全密閉できる構造と方法を設計し、周知のセルフアドヒーシブ包装袋の使用が簡単な長所と、ラミネートフィルムの文献完全保護の長所を兼ね備え、且つ文献を損傷しない長所を有する一種のセルフアドヒーシブ包装袋の完全密閉の構造と方法を提供するものである。
【０００７】
本発明は一種のセルフアドヒーシブ包装袋の完全密閉の構造と方法を提供し、該包装袋は四角形袋状構造とされ、上樹脂片と下樹脂片で共同構成され、そのうち三辺は閉口側とされ、一辺が開口側とされ、その主要な特徴は以下のとおりである。包装袋の開口側の内側壁、下樹脂片上に１本の可離型のセルフアドヒーシブストリップが設けられ、そのうち、セルフアドヒーシブストリップは離型片と両面テープで構成され、且つこのセルフアドヒーシブストリップは隣接する二つの閉口側と一体に接続される。これにより、セルフアドヒーシブストリップと隣接する閉口側が一体に接続される特性により、分段式剥離と分段式排気の方法が組み合わされ、包装袋の開口側が内側壁上のセルフアドヒーシブストリップの作用により閉じ、並びに包装袋内の空気が袋外に順調に排出され、これにより包装袋が平坦で膨張せず、且つ四側辺が完全に密閉の状態とされ、その内部の包装物を完全に保護し、事故により水、液体、灰塵の汚染により包装物が損傷されるのを防止する。
【０００８】
また、包装袋の開口側部分にあって、セルフアドヒーシブストリップの外側の位置に、複数の穿孔が設けられ、使用者が包装袋をその内部の文献と共に伝統的な多孔文書ファイル内に収納するのに便利とされる。
【０００９】
ゆえに、本発明の主要な目的は、一種のセルフアドヒーシブ包装袋の完全密閉の構造と方法を提供することにあり、それは三辺が閉口側、一辺が開口側の包装袋にあって、その開口側の内側壁に可離型のセルフアドヒーシブストリップが設けられ、且つ該セルフアドヒーシブストリップと隣接する二つの閉口側が接続され、セルフアドヒーシブストリップと隣接する閉口側の接続の特性に、セルフアドヒーシブストリップの分段式剥離と分段式排気の方法が組み合わされ、包装袋の開口側が内側壁上のセルフアドヒーシブストリップの作用により閉じ、且つ包装袋内の空気が順調に袋外に排出され、これにより包装袋が平坦を呈して膨張せず、且つ四側辺が完全に密閉された状態とされ、これにより周知の密閉不能或いはラミネータを使用しなければならない欠点を解決する。
【００１０】
本発明のもう一つの目的は、本発明の包装袋を貴重文献の収納に使用可能とすることにあり、比較的厚い樹脂片材質により本包装袋を製造し、包装袋の開口側部分に複数の穿孔を設けることで、使用者が包装袋をその内部の文献と共に伝統的な多孔書類挟み内に収納できるようにし、且つ文献が火災或いは火災時の放水情況により損傷するおそれがなく、収納と整理の便利性を具えるようにする。
【課題を解決するための手段】
【００１１】
請求項１の発明は、セルフアドヒーシブ包装袋の完全密閉の構造であって、該包装袋は下樹脂片、上樹脂片で構成された四角形袋体とされ、そのうち三辺が閉口側とされ一辺が開口側とされた上記セルフアドヒーシブ包装袋の完全密閉の構造において、開口側の内側壁に可離型のセルフアドヒーシブストリップが設けられ、且つこのセルフアドヒーシブストリップが隣接する二つの閉口側と一体に接合され、セルフアドヒーシブストリップが離型片と両面テープで構成されたことを特徴とする、セルフアドヒーシブ包装袋の完全密閉の構造としている。
請求項２の発明は、請求項１記載のセルフアドヒーシブ包装袋の完全密閉の構造において、開口側の外端に複数の穿孔が設けられたことを特徴とする、セルフアドヒーシブ包装袋の完全密閉の構造としている。
請求項３の発明は、請求項１記載のセルフアドヒーシブ包装袋の完全密閉の構造において、開口側の外端に複数の開放性穿孔が設けられたことを特徴とする、セルフアドヒーシブ包装袋の完全密閉の構造としている。
請求項４の発明は、請求項１記載のセルフアドヒーシブ包装袋の完全密閉の構造において、セルフアドヒーシブストリップの外側部分に切り取り可能な切り取り線が設けられて切り取り線の外側に切り取り可能部が設けられたことを特徴とする、セルフアドヒーシブ包装袋の完全密閉の構造としている。
請求項５の発明は、請求項１記載のセルフアドヒーシブ包装袋の完全密閉の構造に実施されるセルフアドヒーシブ包装袋の完全密閉の方法において、セルフアドヒーシブストリップと一つの閉口側が接続する一端より、セルフアドヒーシブストリップの離型片を両面テープより剥離し、且つ離型片剥離時に手で包装袋表面を押圧し、包装袋の開口側と反対の一側より開口側に向けて平らに圧して包装袋内の空気を排出し、同時に離型片が剥離された両面テープを圧迫して開口側を接合し、以上の動作を重複して分段式に逐次離型片を剥離し分段式に逐次排気し、離型片を全て剥離して包装袋内の空気もまた排出完了し、且つ開口側も全て密封することを特徴とする、セルフアドヒーシブ包装袋の完全密閉の方法としている。
【発明の効果】
【００１２】
本発明は以下のような進歩性を達成している。
１．周知のセルフアドヒーシブ包装袋の完全密閉不能である欠点を改良し、セルフアドヒーシブストリップ技術を文献保護に応用可能とした。
２．随時随所で実施可能で、伝統的な文献保護にラミネータを使用しなければならない欠点を改善し、金銭と手間を節約する。
３．本発明の構造と方法は文献保護に用いられ、原稿を損傷せず、原稿の完全性を保持できる。
４．重複使用可能である。セルフアドヒーシブストリップは随時引き剥がすことができ、このため原稿の取り出しと包装袋の重複使用に便利である。
５．離型片の分段式剥離と分段式排気の方法の運用は、包装袋内の大部分の空気を排出でき、包装袋を平坦に保持し、文献の収納と携帯に便利である。
【００１３】
本発明は伝統的なセルフアドヒーシブ包装袋とラミネートフィルムの長所を具備するのみならず、周知の製品の使用上の欠点を解決し、並びに使用上の便利性を強化し、これにより本発明は広く文献保護に応用可能である。ゆえに本発明は進歩性と産業上の利用価値を有し、その特徴は未公開であって新規性を有している。
【発明を実施するための最良の形態】
【００１４】
図１１を参照されたい。本発明のセルフアドヒーシブ包装袋の完全密閉の構造と方法によると、包装袋５は下樹脂片５ａ、上樹脂片５ｂで構成された四角形袋体とされ、そのうち、三辺は閉口側５１とされ、一辺は開口側５２とされ、開口側５２の内側壁に可離型のセルフアドヒーシブストリップ５３が設けられている。そのうち、セルフアドヒーシブストリップ５３は下樹脂片５ａ上に設けられ、且つ離型片５３２と両面テープ５３１が共同で構成する（図１２）。且つ離型片５３２の幅は両面テープ５３１の幅より大きく、使用者が離型片５３２を離型片５３２より剥離するのに便利とされている。
【００１５】
以上の構造により、本発明の包装袋５は実際の使用時に、開口側５２内の離型片５３２を両面テープ５３１上より剥離する必要がある。且つ離型片５３２剥離の後、包装袋５内の空気を排出して密閉後の包装袋５が空気により膨張して包装袋５の平坦性に影響を与えないようにする必要がある。いかに包装袋５内の空気を排出するかが本発明の操作方法を構成する。
【００１６】
本発明のセルフアドヒーシブ包装袋の完全密閉の方法は、離型片の分段式剥離と分段式排気法を指す。外観上から本発明の構造の包装袋５をみると、セルフアドヒーシブストリップ５３が開口側５２の内側壁に埋め込まれているのが分かり、セルフアドヒーシブストリップ５３と閉口側５１が一体に接続され、これによりセルフアドヒーシブストリップ５３の両端が閉口側５１のシール線５１１に封鎖され（図１５）、これにより包装袋は離型片５３２の幅が両面テープ５３１より大きくされ、使用者が文献を開口側５２より包装袋５内に挿入した後（文献は図示せず）、手指を包装袋５内に進入させ、セルフアドヒーシブストリップ５３の閉口側５１の接続された一端よりセルフアドヒーシブストリップ５３の両面テープ５３１を両面テープ５３１より剥離する。図１３は両面テープ５３１が未剥離時の側面断面図であり、図１４は両面テープ５３１が既に剥離された側面断面図である。これらの図に示されるように、セルフアドヒーシブストリップ５３の両端はシール線５１１により上樹脂片５ｂに接合され、これにより使用者は僅かな力で袋内より外向きに離型片５３２を剥離すれば、シール線５１１のシール部分が切断され、図１４、図１６の状態となる。離型片５３２の剥離操作時には、まず開口側５２の両端の閉口側５１部分より開始し、手指を下向きに折り曲げ、包装袋５の内から外に引っ掛ける方式で、簡単に離型片５３２を上に起こし、祖後向きに引っ張れば、離型片５３２がシール線５１１のシール部分で切断され、並びに両面テープ５３１上より剥離される（図１４、図１６）。剥離は少しずつ行うのがよく、この時、離型片５３２が上向きに開かれ、並びに外向きに約９０度の角度で折り曲げられて外向きに引き出され、離型片５３２の引き上げと折り曲げが比較的大きな角度を形成し、剥離され、既に空気中に露出した一部の両面テープ５３１は上樹脂片５ｂと接着しない。このとき、使用者が続いて手で包装袋５表面を押圧し、包装袋の開口側５２と反対の一側より開口側５２に向けて押圧する（図１７）すれば、包装袋５内の空気が外向きに排出され、手で平らに圧しても、両面テープ５３１が上樹脂片５ｂと接着していない時は、空気の排出が完了してからその部分の開口側５２を手で押圧し、接着、閉合させる。上述の動作を重複して行い、続いて一部の離型片５３２を剥離し、その後、更に手で包装袋５表面を押圧し、袋内の空気を続けて排出する。一部の空気の排出が完了する時、一部の開口側５２が閉合される（図１７、１８、１９）。離型片５３２が全て剥離され、包装袋５内の空気が全て排出されると、開口側５２も全て閉合される（図２０）。以上が本発明のセルフアドヒーシブ包装袋の完全密閉の方法である。
【００１７】
図１７、１８、１９の連続使用分解図から分かるように、離型片５３２の分段式剥離方法は、包装袋５内の空気を分段式逐次方式で排出し、並びに排気過程中に手で押圧することで、開口側５２が排気完成時に閉合されている。包装袋５内の大部分の空気は上述の方法で排出され、これにより包装袋５は非常に平坦とされ膨張する欠点がない。並びにセルフアドヒーシブストリップ５３の作用により包装袋５の開口側５２が密閉され、セルフアドヒーシブストリップ５３と隣接する閉口側５１が一体に接続され、これにより包装袋５が完全に密閉した状態を呈し、徹底的にその内部の文献を保護し、水、灰塵による汚染を防止する。
【００１８】
図２１は本発明の包装袋５の開口側５２部分の断面図であり、包装袋５の開口側５２が両面テープ５３１により密閉された状態が示され、両側の閉口側５１のシール線５１１のシール作用により、包装袋５は確実に完全密閉の状態を呈する。
【００１９】
図２２は本発明のセルフアドヒーシブ包装袋の完全密閉の方法の実施立体図である。
【００２０】
図２３、２４、２５は本発明の包装袋５の開口側５２外端に複数の穿孔６０が設けられた実施例表示図である。図示されるように、使用者が包装袋５を多孔書類挟み６内に収納するのに便利とされる。但し注意すべきことは、本例中で使用されるのは周知の閉合式穿孔であり、これにより収納時に先にクランプ６３のクランプスイッチ６２を開き、フック６４を開いてから包装袋５をフック６４に挿入し、その後、クランプスイッチ６２を閉じて、クランプ６３を閉合させ、全体の収納動作を完成する。これは図２５に示されるとおりである。
【００２１】
図２６、２７は本発明の包装袋５の開口側５２外端に複数の開放式穿孔６１が設けられた実施例表示図である。図示されるように、使用者が包装袋５を直接多孔書類挟み６に収納するか或いはそれより取り出す時、その過程中に、多孔書類挟み６３のクランプスイッチ６２を改変する必要がなく、直接包装袋をフック６４内に挿入するかフック６４より包装袋を取り出せばよく、非常に便利である。
【００２２】
図２８、２９は本発明の重複利用の使用表示図である。図２８に示される包装袋５の開口側５２外端の両端に切除部分が設けられ、図示されるような包装袋５が形成される。伝統的な多孔書類挟み６３の設計上、挟持耳部６５が存在し、このため包装袋５の開口側５２外端の両端が切除されて包装袋５がこのようなタイプの挟持具に適用可能とされる（図２８、２９）。包装袋５を重複使用する必要がある時、先ず包装袋５の開口側５２を引き剥がし、その後別の包装袋５を開口側５２を前とする方式で開口側５２内に少し入れ（図３０）、この時、開口側５２外端の両端がすでに切除されているため、開口側５２内に挿入でき、開口側５２内側壁の両面テープ５３１を遮蔽し、その後、文献を包装袋５の上方より重複使用する包装袋５内に入れ、こうして包装袋５の重複使用時に文献が空気中に露出した両面テープ５３１に接着して毀損するのを防止し、これにより本発明の重複使用の目的を達成する。
【００２３】
さらに図３１に示されるように、セルフアドヒーシブストリップ５３の外側部分に切り取り可能な切り取り線５４が設けられ、切り取り線５４の外側部分に切り取り可能部５５が設けられ、切り取り線５４で切り取った後に、切り取り可能部５５が包装袋５と分離され、包装袋５内の物品（例えば写真）をセルフアドヒーシブストリップ５３を利用して封じ（図３２）、内装物品（例えば写真）に対する密封保護を構成し、例えば写真立てに入れて内装物品（例えば写真）に対して湿気防止を行うことができる。
【図面の簡単な説明】
【００２４】
【図１】周知のセルフアドヒーシブ包装袋の立体図である。
【図２】周知のセルフアドヒーシブ包装袋の側面構造図である。
【図３】周知のセルフアドヒーシブストリップの構造拡大図である。
【図４】周知のセルフアドヒーシブ包装袋の実際の使用の立体図である。
【図５】周知のセルフアドヒーシブ包装袋の実際の使用の側面構造図である。
【図６】周知のセルフアドヒーシブ包装袋の実際の使用の側面構造図である。
【図７】周知のセルフアドヒーシブ包装袋の実際の使用の立体図である（離型片が既に剥離されている）。
【図８】周知のラミネートフィルムの立体実施例図である。
【図９】周知のラミネートフィルムの実施例の正面図である。
【図１０】周知のラミネートフィルムの実施例の側面構造図である。
【図１１】本発明の包装袋の構造立体図である。
【図１２】本発明の包装袋の側面構造図である。
【図１３】本発明の包装袋の離型片未剥離時の開口側断面図である。
【図１４】本発明の包装袋の離型片剥離済み時の開口側断面図である。
【図１５】本発明の包装袋のセルフアドヒーシブストリップと閉口側接続部分の構造拡大図である。
【図１６】本発明の包装袋の立体操作実施例図である。
【図１７】本発明の包装袋の開口側の密閉と袋内空気の排除の連続作動参考図である。
【図１８】本発明の包装袋の開口側の密閉と袋内空気の排除の連続作動参考図である。
【図１９】本発明の包装袋の開口側の密閉と袋内空気の排除の連続作動参考図である。
【図２０】本発明の包装袋の開口側の密閉の正面構造図である。
【図２１】本発明の包装袋の排気完了と開口側密閉後の断面図である。
【図２２】本発明の開口側密閉と袋内空気排除の同時達成の立体表示図である。
【図２３】本発明の開口側外端に複数の穿孔が設けられた立体実施例表示図である。
【図２４】本発明の開口側外端に複数の穿孔が設けられた立体実施例表示図である。
【図２５】本発明の開口側外端に複数の穿孔が設けられた立体実施例表示図である。
【図２６】本発明の開口側外端に開放性穿孔が設けられた立体実施例表示図である。
【図２７】本発明の開口側外端に開放性穿孔が設けられた立体実施例表示図である。
【図２８】本発明の開口側両端が裁断され、書類挟みに収納される実施例表示図である。
【図２９】本発明の開口側両端が裁断され、書類挟みに収納される実施例表示図である。
【図３０】本発明の開口側両端が裁断され、２枚の包装袋により第１枚の包装袋の内側壁の両面テープが遮蔽されるかを示す実施例図である。
【図３１】本発明のセルフアドヒーシブストリップの外側部分に切り取り線が設けられた平面実施例図である。
【図３２】図３１の切り取り線で切り取った後の包装袋の平面構造図である。
【符号の説明】
【００２５】
１  包装袋            １１  閉口側
１２  開口側          １３  セルフアドヒーシブストリップ
１２１  カバー片      １２２  切欠き
１３１  両面テープ    １３２  離型片
２  文献              ２０  包装物
３  ラミネートフィルム    ３ａ  上プラスチック片
３ｂ  下プラスチック片
５  包装袋                ５１  閉口側
５１１  シール線
５ａ  下樹脂片            ５ｂ  上樹脂片
５２  開口側              ５３  セルフアドヒーシブストリップ
５４  切り取り線          ５５  切り取り可能部
６  多孔書類挟み
６０  穿孔                ６１  開放性穿孔
６２  クランプスイッチ    ６３  クランプ
６４  フック              ６５  挟持耳部
【図１】
2006036364.tif 000003
【図２】
2006036364.tif 000004
【図３】
2006036364.tif 000005
【図４】
2006036364.tif 000006
【図５】
2006036364.tif 000007
【図６】
2006036364.tif 000008
【図７】
2006036364.tif 000009
【図８】
2006036364.tif 000010
【図９】
2006036364.tif 000011
【図１０】
2006036364.tif 000012
【図１１】
2006036364.tif 000013
【図１２】
2006036364.tif 000014
【図１３】
2006036364.tif 000015
【図１４】
2006036364.tif 000016
【図１５】
2006036364.tif 000017
【図１６】
2006036364.tif 000018
【図１７】
2006036364.tif 000019
【図１８】
2006036364.tif 000020
【図１９】
2006036364.tif 000021
【図２０】
2006036364.tif 000022
【図２１】
2006036364.tif 000023
【図２２】
2006036364.tif 000024
【図２３】
2006036364.tif 000025
【図２４】
2006036364.tif 000026
【図２５】
2006036364.tif 000027
【図２６】
2006036364.tif 000028
【図２７】
2006036364.tif 000029
【図２８】
2006036364.tif 000030
【図２９】
2006036364.tif 000031
【図３０】
2006036364.tif 000032
【図３１】
2006036364.tif 000033
【図３２】
2006036364.tif 000034